(57)【要約】【課題】液晶表示装置と自発光表示装置とからなる表示装置において、バリエーションに富んだ表示を自発光表示装置にて提供する。【解決手段】表示装置１は、第２の表示部２７と、第２の表示部２７の観察側とは反対側に配置された第１の表示部１８と、切替部２１３と、制御部と、を備える。  切替部２１３は、第１の表示部１８において少なくとも第１の絵柄を表示する第１のモードと、第１の表示部１８において少なくとも第１の絵柄を表示しないように発光する第２のモードと、を切り替える。制御部は、切替部２１３により切替えられたモードに基づいて、第１の表示部１８の表示を制御する。【選択図】図４
2019219628.tif 000002
【特許請求の範囲】
【請求項１】
液晶表示装置と、当該液晶表示装置の観察側とは反対側に配置された自発光表示装置と、を備える表示装置であって、
前記自発光表示装置において少なくとも第１の絵柄を表示する第１のモードと、前記自発光表示装置において少なくとも前記第１の絵柄を表示しないように発光する第２のモードと、を切り替える切替手段と、
前記切替手段により切替えられたモードに基づいて、前記自発光表示装置の表示を制御する制御部と、
を有することを特徴とする表示装置。
【請求項２】
前記自発光表示装置は、前記第２のモードにおいて単色発光を行なうことを特徴とする請求項１に記載の表示装置。
【請求項３】
前記自発光表示装置は、前記第２のモードにおいて前記第１の絵柄とは異なる第２の絵柄を表示することを特徴とする請求項１に記載の表示装置。
【請求項４】
前記自発光表示装置は、前記第１の絵柄から前記第２の絵柄へ変更させることで、所定の情報をユーザに提供する情報表示装置として機能する
ことを特徴とする請求項３に記載の表示装置。
【請求項５】
前記第１の絵柄を生成する生成手段を更に有することを特徴とする請求項１乃至４の何れか一項に記載の表示装置。
【請求項６】
前記液晶表示装置の表示する内容を制御する液晶制御部を更に有し、
前記液晶制御部は、前記液晶表示装置に所定の内容を表示させ、
前記自発光表示装置は、前記液晶表示装置のバックライトとして機能する
ことを特徴とする請求項１乃至５の何れか一項に記載の表示装置。
【請求項７】
前記第１の内容又は前記第２の内容の表示の輝度を、バックライトとして機能させない場合の表示の輝度よりも低くすることを特徴とする請求項６に記載の表示装置。
【請求項８】
表示装置の電池残量が閾値以下の場合、自発光表示装置の輝度を低下させることを特徴とする請求項６又は７に記載の表示装置。
【請求項９】
表示装置の電池残量が閾値以下の場合、前記内容変更手段は、前記第２の内容を変更する請求項６乃至８の何れか一項に記載の表示装置。
【請求項１０】
液晶表示装置と、当該液晶表示装置の観察側とは反対側に配置された自発光表示装置と、を備える表示装置が行う表示方法であって、
前記自発光表示装置において少なくとも第１の絵柄を表示する第１のモードと、前記自発光表示装置において少なくとも前記第１の絵柄を表示しないように発光する第２のモードと、を切り替える切替ステップと、
前記切替ステップにおいて切替えられたモードに基づいて、前記自発光表示装置の表示を制御する制御ステップと、
を有することを特徴とする表示方法。
【請求項１１】
液晶表示装置と、当該液晶表示装置の観察側とは反対側に配置された自発光表示装置と、を備えるコンピュータに、
前記自発光表示装置において少なくとも第１の絵柄を表示する第１のモードと、前記自発光表示装置において少なくとも前記第１の絵柄を表示しないように発光する第２のモードと、を切り替える切替機能と、
前記切替機能により切替えられたモードに基づいて、前記自発光表示装置の表示を制御する制御機能と、
を実現することを特徴とする表示プログラム。
【発明の詳細な説明】
【技術分野】
【０００１】
本発明は、表示装置、表示方法及び表示プログラムに関する。
【背景技術】
【０００２】
液晶表示画面の視認性を向上させるために、バックライトを備えた表示装置が知られている。例えば、時計表示を行う液晶表示画面の観察面の反対側に、自発光表示素子である有機ＥＬ（ＯｒｇａｎｉｃＥｌｅｃｔｒｏ  Ｌｕｍｉｎｅｓｃｅｎｃｅ）素子が配置された表示装置が知られている（特許文献１参照）。
この表示装置は、時計表示の観察面の反対側において有機ＥＬ素子が発光することによって、時計表示のバックライトの機能を発揮する。
【先行技術文献】
【特許文献】
【０００３】
【特許文献１】特開平１１−１６０７０４号公報
【発明の概要】
【発明が解決しようとする課題】
【０００４】
しかしながら、特許文献１等の一般的な技術では、有機ＥＬ素子は発光を用いた固定的な情報の表示しか行わなかった。
【０００５】
本発明は、このような状況に鑑みてなされたものであり、液晶表示装置と自発光表示装置とからなる表示装置において、バリエーションに富んだ表示を自発光表示装置にて提供することを目的とする。
【課題を解決するための手段】
【０００６】
上記目的を達成するため、本発明の一態様の表示装置は、
液晶表示装置と、当該液晶表示装置の観察側とは反対側に配置された自発光表示装置と、を備える表示装置であって、
前記自発光表示装置において少なくとも第１の絵柄を表示する第１のモードと、前記自発光表示装置において少なくとも前記第１の絵柄を表示しないように発光する第２のモードと、を切り替える切替手段と、
前記切替手段により切替えられたモードに基づいて、前記自発光表示装置の表示を制御する制御部と、
を有することを特徴とする。
【発明の効果】
【０００７】
本発明によれば、バリエーションに富んだ表示を自発光表示装置にて提供することができる。
【図面の簡単な説明】
【０００８】
【図１】本発明の一実施形態である表示装置の概略図である。
【図２】図１の表示装置のハードウェア構成を示すブロック図である。
【図３Ａ】図１の表示装置の表示領域を示す模式図である。
【図３Ｂ】図３ＡにおけるＸ−Ｘ’断面を示す模式図である。
【図４】図２の表示装置の機能的構成のうち、画像生成処理を実行するための機能的構成を示す機能ブロック図である。
【図５】図４の機能的構成を有する図１の表示装置が実行する画像生成処理の流れを説明するフローチャートである。
【図６】図４の画像生成処理における操作画面の一例を示す図である。
【図７Ａ】図４の画像生成処理において生成される画像の文字のフォントの一例を示す図である。
【図７Ｂ】図４の画像生成処理において生成される画像の文字のフォントの他の例を示す図である。
【図８Ａ】図４の画像生成処理において生成される画像における各要素の位置調整の例を示す図である。
【図８Ｂ】図４の画像生成処理において生成される画像の決定画面の一例を示す図である。
【図９】図４の機能的構成を有する図１の表示装置が実行する電力制御処理の流れを説明するフローチャートである。
【図１０】図９の電力制御処理において制御される画像の一例を示す図である。
【発明を実施するための形態】
【０００９】
以下、本発明の実施形態について、図面を用いて説明する。
【００１０】
［外観構成］
図１は、本発明の一実施形態である表示装置１の概略図である。
図１に示すように、本実施形態の表示装置１は、所謂スマートウォッチと称される、腕時計型の装置として構成されている。この表示装置１は、後述する第１の表示部１８及び第２の表示部２７を備えており、第１の表示部１８の上に第２の表示部２７が積層された構成となっている。また、この第２の表示部２７は、透過型の表示部であり、第１の表示部１８の表示領域が視認可能になるような透過表示と、第１の表示部１８の表示領域が視認しづらくなるような非透過表示の双方を行うことが出来る。
このため、表示装置１においては、第１の表示部１８の少なくとも一部を透過表示とすることにより、第１の表示部１８の表示と第２の表示部２７の表示とを重ね合わせて表示することが可能となっている。
【００１１】
［ハードウェア構成］
図２は、表示装置１のハードウェア構成を示すブロック図である。
図２に示すように、表示装置１は、第１のＣＰＵ（Ｃｅｎｔｒａｌ  Ｐｒｏｃｅｓｓｉｎｇ  Ｕｎｉｔ）１１と、第１のＲＯＭ（Ｒｅａｄ  Ｏｎｌｙ  Ｍｅｍｏｒｙ）１２と、第１のＲＡＭ（Ｒａｎｄｏｍ  Ａｃｃｅｓｓ  Ｍｅｍｏｒｙ）１３と、第１の記憶部１４と、第１のＲＴＣ（Ｒｅａｌ  Ｔｉｍｅ  Ｃｌｏｃｋ）部１５と、ドライブ１６と、ドライブ１６に着脱可能なリムーバブルメディア５１と、第１の入力部１７と、第１の表示部１８と、第２のＣＰＵ２１と、第２のＲＯＭ２２と、第２のＲＡＭ２３と、第２の記憶部２４と、センサ部２５と、第２の入力部２６と、第２の表示部２７と、電池残量計測ＩＣ２９と、第２のＲＴＣ部３０と、ブルートゥース（登録商標）アンテナ３１と、ブルートゥースモジュール３２と、無線ＬＡＮ（Ｌｏｃａｌ  Ａｒｅａ  Ｎｅｔｗｏｒｋ）アンテナ３３と、無線ＬＡＮモジュール３４と、ＧＰＳ（Ｇｌｏｂａｌ  Ｐｏｓｉｔｉｏｎｉｎｇ  Ｓｙｓｔｅｍ）アンテナ４１と、ＧＰＳモジュール４２と、を備えている。
【００１２】
メインマイコン１０は、第１のＣＰＵ１１と、第１のＲＯＭ１２と、第１のＲＡＭ１３とを有する。サブマイコン２０は、第２のＣＰＵ２１と、第２のＲＯＭ２２と、第２のＲＡＭ２３とを有する。
【００１３】
表示装置１は、第１のＣＰＵ１１と、第２のＣＰＵ２１の制御によって機能する。
具体的に、第１のＣＰＵ１１は、ＯＳ（Ｏｐｅｒａｔｉｎｇ  Ｓｙｓｔｅｍ）と、ＯＳの管理下で実行される各種プログラムとに基づいて各種演算処理を行い、演算処理の結果に基づいた各種の処理を実行することにより、表示装置１におけるスマートフォンに類する機能を実現する。本実施形態において、第１のＣＰＵ１１は、ブルートゥースモジュール３２あるいは無線ＬＡＮモジュール３４を介して受信した電子メールの着信や気象情報に関するメッセージ等を第１の表示部１８に表示させたりする。また、第１のＣＰＵ１１は、第１の入力部１７を介して入力される音声を認識したり、その他、スマートフォンに類する機能として実装された各種機能に係る処理を行ったりする。本実施形態において、第１のＣＰＵ１１は、例えば、Ａｎｄｒｏｉｄ（登録商標）等の汎用のＯＳに基づいて演算処理を行う。
また、本実施形態において、第１のＣＰＵ１１は、第１のＲＴＣ部１５から所定のタイミングで時刻信号を取得する。
【００１４】
第２のＣＰＵ２１は、組み込みプログラム等の、特定のプログラムに基づいて各種演算処理を行い、演算処理の結果に基づいた処理を実行することにより、第２の表示部２７及び第１の表示部１８に対する表示の指示を行ったり、各種センサの検出結果を取得したり、その他、腕時計の機能として実装された各種機能に係る処理を行ったりする。本実施形態において、第２のＣＰＵ２１は、第２のＲＴＣ部３０から入力された時刻信号を基準として、時刻を計算したり、時刻、曜日あるいは日付等を第２の表示部２７に表示させたりする。第２のＣＰＵ２１が実行する特定のプログラムの処理（時刻の計算等）は、第１のＣＰＵ１１が実行するＯＳの処理に比べて単純な動作であることから処理負荷が小さく、低消費電力で実行可能である。また、そのため、第２のＣＰＵ２１に要求されるハードウェアのスペックは、第１のＣＰＵ１１に比べて低いもので足りる。従って、腕時計の機能のみが要求される際は、第２のＣＰＵ２１を動作させる一方で、第１のＣＰＵ１１の機能の大部分を停止させ、所謂スリープ状態とすることにより、表示装置１全体の消費電力を低減させることができる。これにより、表示装置１を、表示装置１に内蔵する図示しない電池（例えば、充電可能なバッテリ）にて長時間駆動させることができる。
また、本実施形態において、第２のＣＰＵ２１は、第２のＲＴＣ部３０から所定のタイミングで時刻信号を取得する。
【００１５】
第１のＲＯＭ１２は、第１のＣＰＵ１１からデータの読み出しが可能であり、第１のＣＰＵ１１が実行する種々のプログラムや初期設定データを格納する。例えば、第１のＲＯＭ１２は、第１のＣＰＵ１１が実行するＯＳのプログラムやＯＳの管理下で実行される各種プログラムを格納する。
【００１６】
第１のＲＡＭ１３は、第１のＣＰＵ１１からデータの読み出し及び書き込みが可能であり、第１のＣＰＵ１１に作業用のメモリ空間を提供し、作業用の一時データを記憶する。例えば、第１のＲＡＭ１３は、第１のＣＰＵ１１がＯＳ等を実行したり、後述の画像生成処理を実行する際のシステム領域やワークエリアを提供したりする。
【００１７】
第１の記憶部１４は、メインマイコン１０からデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。第１の記憶部１４には、第１のＣＰＵ１１の制御にて実現されるスマートフォンに類する各種機能において生成された各種データ（各種設定内容のデータ等）が記憶される。
【００１８】
ドライブ１６には、半導体メモリ等よりなる、リムーバブルメディア５１が適宜装着される。リムーバブルメディア５１は、ドライブ１６を介してメインマイコン１０からデータの読み出し及び書き込みが可能であり、各種センサによって検出されたデータ等の各種データを記憶することができる。
【００１９】
第１の表示部１８は、有機ＥＬディスプレイによって構成され、第１のＣＰＵ１１又は第２のＣＰＵ２１の制御に従って、各種情報を表示画面に表示する。
第１の入力部１７は、所謂物理ボタンを備えており、この物理ボタンを介してユーザの入力を受け付ける。或いは、第１の入力部１７は、音声を電気信号に変換するマイクを備え、入力された音声（操作のための音声コマンド等）を示す信号を第１のＣＰＵ１１に出力する。或いは、第１の表示部１８の上部に設けるタッチパネルであってもよい。
【００２０】
ブルートゥースアンテナ３１は、ブルートゥースの規格に基づく電磁波を送受信するアンテナであり、例えばモノポールアンテナ等によって構成される。ブルートゥースアンテナ３１は、ブルートゥースモジュール３２から入力された無線通信の電気信号を電磁波として送信したり、受信した電磁波を電気信号に変換してブルートゥースモジュール３２に出力したりする。
ブルートゥースモジュール３２は、第１のＣＰＵ１１の指示に従って、ブルートゥースアンテナ３１を介して他の装置に信号を送信する。また、ブルートゥースモジュール３２は、他の装置から送信された信号を受信し、受信した信号が示す情報を第１のＣＰＵ１１に出力する。
【００２１】
無線ＬＡＮアンテナ３３は、無線ＬＡＮモジュール３４によって利用される無線通信に対応した周波数の電波を受信可能なアンテナであり、例えばループアンテナやロッドアンテナによって構成される。無線ＬＡＮアンテナ３３は、無線ＬＡＮモジュール３４から入力された無線通信の電気信号を電磁波として送信したり、受信した電磁波を電気信号に変換して無線ＬＡＮモジュール３４に出力したりする。
無線ＬＡＮモジュール３４は、第１のＣＰＵ１１の指示に従って、無線ＬＡＮアンテナ３３を介して他の装置に信号を送信する。また、無線ＬＡＮモジュール３４は、他の装置から送信された信号を受信し、受信した信号が示す情報を第１のＣＰＵ１１に出力する。
【００２２】
第２のＲＯＭ２２は、第２のＣＰＵ２１からデータの読み出しが可能であり、第２のＣＰＵ２１が実行する特定のプログラムや初期設定データを格納する。例えば、第２のＲＯＭ２２は、腕時計の機能を実現する組み込み用プログラムと、後述の電力制御処理を行うための機能を実現するためのプログラムとを格納する。
【００２３】
第２のＲＡＭ２３は、第２のＣＰＵ２１からデータの読み出し及び書き込みが可能であり、第２のＣＰＵ２１に作業用のメモリ空間を提供し、作業用のデータを一時的に記憶する。例えば、第２のＲＡＭ２３は、第２のＣＰＵ２１が組み込みプログラム等を実行する際の記憶領域を提供したりする。
【００２４】
ＧＰＳアンテナ４１は、ＧＰＳにおける衛星から発信される電波を受信して電気信号に変換し、変換した電気信号（以下、「ＧＰＳ信号」と称する。）をＧＰＳモジュール４２に出力する。
ＧＰＳモジュール４２は、ＧＰＳアンテナ４１から入力されたＧＰＳ信号に基づいて、表示装置１の位置（例えば、緯度、経度、及び高度）及びＧＰＳによって示される現在時刻を検出する。また、ＧＰＳモジュール４２は、検出した位置及び現在時刻を示す情報を第２のＣＰＵ２１に出力する。
【００２５】
第２の記憶部２４は、サブマイコン２０からデータの読み出し及び書き込みが可能な不揮発性のメモリであり、例えば、フラッシュメモリやＥＥＰＲＯＭである。第２の記憶部２４には、腕時計の機能等において生成された各種データ（各種設定内容のデータ等）、及び後述の画像生成処理において生成された画像が記憶される。
【００２６】
センサ部２５は、種々の情報を測定する複数のセンサの集合である。センサ部２５は、例えば、脈拍センサ、地磁気センサ、加速度センサ、ジャイロセンサ、及び照度センサを含む。
脈拍センサは、表示装置１の裏面側（ユーザの腕に面する側）に設置され、表示装置１が装着されたユーザの脈拍を検出し、検出した脈拍を示す情報をサブマイコン２０に出力する。
地磁気センサは、地磁気の方向を検出し、検出した地磁気の方向を示す情報をサブマイコン２０に出力する。
加速度センサは、表示装置１における３軸方向の加速度を検出し、検出した加速度を示す情報をサブマイコン２０に出力する。
ジャイロセンサは、表示装置１における３軸方向の角速度を検出し、検出した角速度を示す情報をサブマイコン２０に出力する。
照度センサは、例えば、第１の表示部１８の裏面側の所定箇所や、表示装置１のベゼル部分の所定箇所等に設置され、表示装置１の表示領域における明るさ（照度）を検出し、検出した明るさを示す情報をサブマイコン２０に出力する。
【００２７】
第２のＣＰＵ２１は、これら各種センサによって検出された情報を、必要に応じて第１のＣＰＵ１１に対して出力する。第１のＣＰＵ１１は、これら各種センサによって検出された情報を、例えばスマートフォンに類する機能により利用する。例えば、第１のＣＰＵ１１は、照度センサが検出した明るさに基づいて、第１の表示部１８の表示画面の輝度を調整する。
第２の入力部２６は、各種ボタンで構成され、ユーザの指示操作に応じて各種情報を入力する。
【００２８】
第２の表示部２７は、部分的にまたは全体的に光を透過可能なＰＮ（Ｐｏｌｙｍｅｒ  Ｎｅｔｗｏｒｋ）液晶ディスプレイから構成され、第２のＣＰＵ２１の制御に従って、各種情報を表示画面に表示する。本実施形態における表示は、セグメント表示とする。
【００２９】
第２の表示部２７と第１の表示部１８の位置関係について、図３Ａ及び図３Ｂを参照して説明をする。
図３Ａは、表示装置１の表示領域を示す模式図である。また、図３Ｂは、図３ＡにおけるＸ−Ｘ’断面を示す模式図である。
【００３０】
図３Ａに示すように、第１の表示部１８の表示領域と、第２の表示部２７の表示領域は、重畳して配置される。
また、図３Ｂに示すように、表示装置１の表示領域は、表面側からカバーガラスＣＧ、第２の表示部２７、第１の表示部１８、黒色シートＢＳ、メイン基板ＭＢの順に積層された断面構造を有している。これらのうち、黒色シートＢＳは、第２の表示部２７及び第１の表示部１８を透過して視認した場合の発色を調整する部材であり、本実施形態では、黒色が視認される構成となっている。また、メイン基板ＭＢには、図２を参照して説明した各ハードウェアが配置されると共に、各ハードウェア間を接続する信号線が配設される。
【００３１】
本実施形態において、第２の表示部２７であるＰＮ液晶ディスプレイは、図３Ｂに示すように、上述した第１の表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。この場合、例えば、ＰＮ液晶ディスプレイの所定の表示領域において、乳白色の有色表示がなされる。換言すれば、この有色表示によって、有機ＥＬディスプレイによる表示が所定の量だけ透けて見える状態となる。以下では、このようなＰＮ液晶ディスプレイの表示領域における、光を反射するような状態を「非透過状態」と称する。
【００３２】
一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。即ち、表示装置１の表示領域では、有機ＥＬディスプレイによる表示にＰＮ液晶ディスプレイによる表示を重ね合わせた状態で表示することができるようになっている。以下では、このようなＰＮ液晶ディスプレイの表示領域における、光を透過するような状態を「透過状態」と称する。
【００３３】
第１の表示部１８及びＰＮ液晶ディスプレイの表示方向は、図３Ｂに示すように、各表示部からカバーガラスに向かう方向である。これは、図３Ａにおける紙面の裏から表に向かう方向に相当する。
【００３４】
［機能的構成］
図４は、図２の表示装置１の機能的構成のうち、画像生成処理および電力制御処理を実行するための機能的構成を示す機能ブロック図である。
画像生成処理とは、ユーザが第１の表示部１８である有機ＥＬディスプレイに表示される背景画像６０を生成する一連の処理をいう。
電力制御処理とは、表示装置１の電池の残量に応じて、有機ＥＬディスプレイである第１の表示部１８への供給電力を制御する一連の処理をいう。
【００３５】
画像生成処理において、図４に示すように、第１のプログラム処理部１１１と、第１の表示制御部１１２と、背景内容生成部１１３と、が機能する。
電力制御処理において、図４に示すように、背景内容変更部１１４と、第２のプログラム処理部２１１と、第２の表示制御部２１２と、切替部２１３と、電力制御部２１４と、が機能する。
また、第２の記憶部２４の一領域には、背景画像記憶部２４１が設定される。
【００３６】
第１のプログラム処理部１１１は、メインマイコン１０の全体の動作を制御する。例えば、第１のプログラム処理部１１１は、第１の表示制御部１１２と、背景内容生成部１１３、背景内容変更部１１４と、を動作させる。
【００３７】
第１の表示制御部１１２は、第１の表示部１８の表示を制御する。例えば、有機ＥＬディスプレイである第１の表示部１８に地図情報や、所定の絵柄画像を表示する。或いは、第１の表示制御部１１２は、有機ＥＬディスプレイの発光を制御することにより、表示画像の輝度や色味を調整する。
【００３８】
背景内容生成部１１３は、第２の表示部２７の背景となり得る、背景画像６０等の内容を生成する。背景内容生成部１１３は、生成した背景画像６０を背景画像記憶部２４１に記憶させる。
ここで、背景内容生成部１１３が生成する内容とは、例えば、第２表示部の背景としての単色発光だけでなく、第２表示部２７の背景として用いられる第１の表示部１８に表示される背景画像６０を生成する。この背景画像６０は、ユーザの入力に基づいて生成される。ユーザの入力とは、例えば、第１の表示部１８のタッチパネル上の操作である。背景画像６０の生成については後に詳述する。
【００３９】
背景内容変更部１１４は、上述の背景内容生成部１１３によって生成された背景画像６０を変更する。変更とは、例えば、複数の背景画像６０のうちの一つを、他の背景画像６０に替えること、或いは、第１の表示部１８に表示される内容を単色発光から背景画像６０に替えることを指す。
【００４０】
第２のプログラム処理部２１１は、サブマイコン２０の全体を制御する。例えば、第２のプログラム処理部２１１は、第２の表示制御部２１２、切替部２１３、及び電力制御部２１４を動作させる。又、第２のＲＴＣ部３０から時刻情報を取得し、第２の表示制御部２１２へ時刻情報を送信する。
【００４１】
第２の表示制御部２１２は、第１の表示部１８と第２の表示部２７との表示を制御する。例えば、第２の表示制御部２１２は、液晶ディスプレイである第２の表示部２７に、時刻情報をセグメント表示する。又、第２の表示制御部２１２は、有機ＥＬディスプレイである第１の表示部１８に所定の画像を表示する。所定の画像とは、例えば、背景画像６０である。さらに、第２の表示制御部２１２は、第２の入力部２６を介したユーザのボタン操作等に応じて、背景画像６０を他の画像に変更する。
【００４２】
切替部２１３は、以下で詳述するように第１の表示部１８における表示を切り替える。
【００４３】
［表示の切り替え］
ここで、表示装置１における表示部の切り替えられる態様について説明する。即ち、第２の表示部２７に所定の情報を表示させた上で、第１の表示部１８を第２の表示部２７のバックライトとして機能させる態様と、第１の表示部１８の表示を切り替えることにより、第１の表示部自体を様々な情報を表示する情報端末として機能させる態様である。
【００４４】
上述した２つの態様について共通する構成として、表示装置１は、第１の表示部１８において第１の絵柄を表示すること（第１のモード）と、第１の表示部１８において第１の絵柄を表示させることなく発光を行なうこと（第２のモード）とを切替部２１３により切り替える。
表示装置１が、第２の表示部２７に時計表示等の所定情報を表示させて、第１の表示部１８を第２の表示部２７のバックライトとして利用する場合を以下に説明する。切替部２１３は、第１の表示部１８に第１の絵柄を背景画像６０として表示するか（第１のモード）、又は、第１の表示部１８に単色の発光をさせるか（第２のモード）を切り替える。或いは、切替部２１３は、第１の表示部１８が、背景画像６０を第１の絵柄として表示するか、（第１のモード）また、その第１の絵柄とは異なる第２の絵柄を表示する（第２のモード）かを切り替える。
【００４５】
表示装置１が、第１の表示部１８を情報端末として利用する場合を以下に説明する。この場合、第１の表示部１８において、所定の情報、例えば、有機ＥＬディスプレイの自発光機能による、デジタル表記の時刻情報、アナログ表示の時刻情報、又は、地図情報等の種々のアプリケーションを表示させる。このとき切替部２１３は、第１の表示部１８における所定のアイコンや情報画面としての絵柄等の表示を切り替える（第１のモードと第２のモードとを切替する）ことにより、時々刻々と変化する上記情報を表示する。
このように、ユーザは、有機ＥＬディスプレイを、種々の表示が可能な情報端末として利用することができる。これにより、バリエーションに富んだ表示を自発光表示装置にて提供することができる。
【００４６】
また、第１の表示部１８を第２の表示部２７のバックライトとして利用する態様において、液晶ディスプレイの時刻情報を表示する領域が、透過状態にある場合を想定する。この場合、ユーザは、液晶ディスプレイにおける７セグメントのデジタル時計表示の時刻情報が黒色シートＢＳの色である黒色として視認できる。
そして、単色の発光は、液晶ディスプレイの非透過状態の領域を通してユーザに視認される。従って、単色の発光は、有機ＥＬ素子の発光色に対して乳白色が混ざった色としてユーザに視認される。
【００４７】
一方、第１の表示部１８を第２の表示部２７のバックライトとして利用する態様において、液晶ディスプレイの時刻情報を表示する領域が、非透過状態にある場合を想定する。
この場合、ユーザは、液晶ディスプレイにおける７セグメントのデジタル時計表示の時刻情報が、単色の発光の色と乳白色とが混ざった色として視認できる。
そして、背景画像６０は、液晶ディスプレイの透過状態の領域を通してユーザに視認される。従って、透過領域において、単色の発光は、有機ＥＬ素子の発光色そのものの色としてユーザに視認される。
【００４８】
又、表示装置１は、第１の表示部１８を第２の表示部２７のバックライトとして機能させる際には、有機ＥＬ素子の自発光を時刻情報の表示などの情報表示端末として機能させる場合と比べて、輝度を落とした状態で発光させる。
【００４９】
上述の２つの表示装置１の態様の切り替えは、ユーザにより、第２の入力部２６を介して行なわれる。
切り替えられた態様に応じて、第１の表示部１８は、メインマイコン１０又はサブマイコン２０の何れかによって制御される。第２の表示部２７は、切り替えられた態様に基づいて、サブマイコン２０によって制御される。
【００５０】
又、上述の２つの表示装置１の態様において、背景画像６０の第１の表示部への表示や単色発光を第１の表示部１８にさせる制御は、サブマイコン２０によってのみ行うことが可能である。即ち、サブマイコン２０は、背景画像記憶部２４１から背景画像６０を取得し、取得した背景画像６０を第１の表示部１８に表示させる。この場合、メインマイコン１０は作動しないため消費電力が削減される。当然ながら、この制御は本実施形態においてなされることであり、メインマイコン１０を作動させてメインマイコン１０で背景画像６０の第１の表示部への表示や単色発光を第１の表示部１８にさせる制御を行ってもよい。
【００５１】
［画像生成処理］
図５は、図４の機能的構成を有する図２の表示装置１が実行する、画像生成処理の流れを説明するフローチャートである。
画像生成処理は、ユーザによる第１の入力部１７への画像生成処理開始の操作により開始される。
【００５２】
ステップＳ１１において、第１のプログラム処理部１１１は、第１の入力部１７を通してユーザの画像生成処理開始の操作を受け付ける。そして、第１のプログラム処理部１１１は、第１の表示制御部１１２に対して、有機ＥＬディスプレイである第１の表示部１８に画像生成のメニューを表示させる。後に図６を用いて詳述するが、メニューとは、画像を生成する際の編集工程を示すものである。
ユーザが、メニューの中から何れかの選択肢を選択することによって画像を編集すると、処理はステップＳ１２に進む。
【００５３】
ステップＳ１２において、ユーザが画像の編集を完了すると、背景画像が生成される。背景画像が生成されると、処理はステップＳ１３に進む。
【００５４】
ステップＳ１３において、背景内容生成部１１３は、背景画像を背景画像記憶部２４１に記憶する。
【００５５】
背景画像が記憶されると、処理はステップＳ１４に進む。ステップＳ１４において、終了条件を満たすか否か判定される。終了条件は、例えば、背景画像が背景画像記憶部２４１に記憶されたことである。
背景内容生成部１１３は、終了条件を満たすと判定すると画像生成処理を終了し、満たさないと判定すると処理をステップＳ１１に戻す。
【００５６】
このように、ステップＳ１１からステップＳ１４の一連の画像生成処理によって、ユーザがカスタマイズした背景画像が生成される。
【００５７】
ここで、図６から図８Ａを参照して、上記のステップＳ１１におけるメニューの選択について詳細に説明する。図６は、画像生成処理におけるメニューの一例を示す図である。ユーザは、メニューを選択することによって、各要素、例えば、文字や数字やキャラクター等を編集可能となる。
図６を参照すると、メニュー６１は、背景画像６０の要素を手書きで編集可能な選択肢である。メニュー６２は、背景画像に文字を挿入可能な選択肢である。メニュー６３は、背景画像にアイコンを追加可能な選択肢である。メニュー６４は、予め用意された画像の中から選択された画像を、背景画像に挿入可能な選択肢である。
【００５８】
図７Ａは、図４の画像生成処理において生成される画像の文字のフォントの一例を示す図である。
上述のメニュー６４によって、予め用意された画像、例えば、野球ボールの画像７０が選択されると、図７Ａに示されるように、野球ボールの画像７０が背景画像６０に追加される。
メニュー７１は、所定のフォントを選択するためのメニューである。メニュー７１が選択されると、背景画像６０に表示される文字のフォントが、メニュー７１に関連付けられたフォントに設定されることによって、文字７２が表示される。
【００５９】
図７Ｂは、図４の画像生成処理において生成される画像の文字のフォントの他の例を示す図である。メニュー７３は、メニュー７１とは異なるフォントを選択するためのメニューである。メニュー７３が選択されると、背景画像６０に表示される文字のフォントが、メニュー７３に関連付けられたフォントに設定されることによって、他のフォントの文字７４が表示される。
【００６０】
図８Ａは、図４の画像生成処理において生成される画像における各要素の位置調整の例を示す図である。メニュー８１は、上述の各メニューによって編集された各要素の位置を調整するためのメニューである。ユーザがメニュー８１を選択すると、各要素の位置が可変な状態となる。ユーザは、例えば、野球ボールの画像７０や、文字７４を指で操作することによって、背景画像６０におけるこれらの要素の配置を変更することが出来る。さらに、これらの画像の拡大や縮小も可能である。
【００６１】
次に、図８Ｂを参照して、ステップＳ１２における背景画像の生成について説明する。図８Ｂは、図４の画像生成処理において生成される画像の決定画面の一例を示す図である。上述のステップＳ１１におけるメニューの選択が完了すると、背景内容生成部１１３は、ユーザに対して、現在表示されている背景画像６０を保存するか否かを問うメッセージ８２が表示される。ユーザは、メッセージ８２の近傍に表示される選択肢８３，８４の何れかを選択することができる。ユーザが、背景画像６０の保存を行うための選択肢８３を選択すると、背景画像６０は背景画像記憶部２４１に保存される。これにより、ステップＳ１２の処理は完了する。なお、当然ながら、ユーザが、背景画像６０の保存を行わない選択肢８４を選択すると、背景画像６０の編集を継続するために、処理はステップＳ１１に戻る。
【００６２】
［電力制御処理］
図９は、図４の機能的構成を有する図１の表示装置が実行する電力制御処理の流れを説明するフローチャートである。
ステップＳ２１において、電池残量計測ＩＣ２９は、表示装置１を動作させるための、図示しない電池のエネルギの残量値を計測する。計測されたエネルギの残量値が、第２のプログラム処理部２１１に入力されると、処理はステップＳ２２に進む。
【００６３】
ステップＳ２２において、第２のプログラム処理部２１１は、エネルギの残量値が所定値以下か否か判定する。第２のプログラム処理部２１１は、エネルギの残量値が所定値以下であると判定するまで、ステップＳ２２の処理を繰り返す。一方、第２のプログラム処理部２１１が、エネルギの残量値が所定値以下であると判定すると、処理はステップＳ２３に進む。
【００６４】
ステップＳ２３において、電力制御部２１４は、表示装置１の動作モードを通常モードから省電力モードへ移行させる。ここで、通常モードとは、第２の表示制御部２１２が、ユーザが指定した画像に基づく色の有機ＥＬ素子を発光させることによって、背景画像６０を表示するモードである。一方、省電力モードとは、第２の表示制御部２１２が、背景画像６０の一部を、ユーザが指定した画像に基づく色とは異なる相対的に低い消費電力の色で表示させるモードである。
即ち、ステップＳ２３では、以下に詳述する手法によって、通常モードと比較して消費電力が少なくなるように、電力制御部２１４が背景画像６０の表示に要する電力を制御する。
【００６５】
図１０は、電力制御処理において制御される画像の一例を示す図である。ステップＳ２３において、電力制御部２１４が、表示装置１の動作モードを省電力モードに移行させる。省電力モードにおいて、第２の表示制御部２１２は、図１０に示されるように、バックライトとして表示中の背景画像６０の表示又は単色発光を制御する。
【００６６】
有機ＥＬ素子の発光は、その発光色によって消費電流が異なる。このため、ユーザが作成した背景画像６０又は単色発光の発光色によっては、背景画像６０の表示時の電流量が過大となり、電池の電圧がドロップする場合がある。このとき、瞬間的にサブマイコン２０の電圧が動作電圧以下となり、表示が消えてしまう可能性がある。
【００６７】
典型的に、有機ＥＬ素子の発光による消費電力は、白色よりも緑色の方が小さく、又、黄色よりも黒色の方が小さい。従って、例えば、以下に示すように、電力制御部２１４は、表示装置１の動作を通常モードから省電力モードへ移行させることによって、背景画像６０の表示に要する消費電力を低下させる。
【００６８】
図１０に示されるように、左側の背景画像６０を通常モードの画像とし、右側の背景画像６０を省電力モードとすると、各要素は次のように変化する。通常モードでは野球ボールの画像７０に対応する有機ＥＬ素子が白色に発光しているが、省電力モードでは野球ボールの画像７０´に対応する有機ＥＬ素子は緑色に発光する。また、通常モードでは文字７４に対応する有機ＥＬ素子は黄色に発光しているが、省電力モードでは文字７４´に対応する有機ＥＬ素子は発光しない。従って、文字７４´の表示色は、黒色シートＢＳの色と同一の黒色である。
【００６９】
同様に、第２の表示制御部２１２は、バックライトとして有機ＥＬ素子が単色発光をしている場合、発光色を相対的に電力消費が少ない発光色に変更する。或いは、背景内容変更部１１４は、背景画像６０を消費電力の低い色の単色発光に変更することによって、消費電力を低減させる。
【００７０】
このように、第２の表示制御部２１２は、表示装置の電池残量が閾値以下の場合、自発光表示装置の背景画像６０の表示色を変更する。有機ＥＬ素子の発光色の変更は、例えば、ＲＧＢの各色に対応する有機ＥＬ素子の一部を発光させないことによって実現される。これにより、表示装置１の消費電力を低減することができる。
【００７１】
以上のように構成される表示装置１は、第２の表示部２７と、第２の表示部２７の観察側とは反対側に配置された第１の表示部１８と、切替部２１３と、制御部と、を備える。
切替部２１３は、第１の表示部１８において少なくとも第１の絵柄を表示する第１のモードと、第１の表示部１８において少なくとも第１の絵柄を表示しないように発光する第２のモードと、を切り替える。制御部は、切替部２１３により切替えられたモードに基づいて、第１の表示部１８の表示を制御する。
このように、表示装置１は、バリエーションに富んだ表示を第１の表示部１８において提供することができる。
【００７２】
第１の表示部１８は、第２のモードにおいて単色発光を行なう。
このように、表示装置１は、第１の表示部１８において、モードに応じて絵柄又は発光を行うことが可能である。これにより、表示装置１は、バリエーションに富んだ表示を提供することができる。
【００７３】
第１の表示部１８は、第２のモードにおいて、第１の絵柄とは異なる第２の絵柄を表示する。
このように、表示装置１は、第１の表示部１８において、種々の絵柄を表示することができる。これにより、表示装置１は、バリエーションに富んだ表示を提供することができる。
【００７４】
第１の表示部１８は、第１の絵柄から第２の絵柄へ変更させることで、所定の情報をユーザに提供する情報表示装置として機能する。
このように、表示装置１は、第１の表示部１８において、種々の絵柄を表示することができる。これにより、表示装置１は、バリエーションに富んだ表示を提供することができる。
【００７５】
表示装置１は、第１の絵柄を生成する背景内容生成部１１３を更に有する。
このように、表示装置１は、第１の表示部１８において、多様な絵柄を表示することが可能である。これにより、表示装置１は、バリエーションに富んだ表示を提供することができる。
【００７６】
表示装置１は、第２の表示部２７の表示する内容を制御する液晶制御部を更に有する。第２の表示部２７は、第２の表示部２７に所定の内容を表示させ、第１の表示部１８は、第２の表示部２７のバックライトとして機能する。
このように、表示装置１は、第１の表示部１８をバックライトとして機能させることも可能である。これにより、表示装置１は、バリエーションに富んだ表示を提供することができる。
【００７７】
表示装置１は、第１の内容又は第２の内容の表示の輝度を、バックライトとして機能させない場合の表示の輝度よりも低くする。
これにより、表示装置１は、バリエーションに富んだ表示を提供するとともに、省電力を実現することができる。
【００７８】
表示装置１は、表示装置１の電池残量が閾値以下の場合、自発光表示装置の輝度を低下させる。
これにより、表示装置１は、バリエーションに富んだ表示を提供するとともに、省電力を実現することができる。
【００７９】
表示装置１は、表示装置１の電池残量が閾値以下の場合、背景内容変更部１１４は、第２の内容を変更する。
これにより、表示装置１は、バリエーションに富んだ表示を提供するとともに、省電力を実現することができる。
【００８０】
［変形例］
上述の実施形態では、背景内容生成部１１３が背景画像６０を新たに生成したが、これに限られない。
【００８１】
＜変形例１＞
他の変形例として、例えば、背景内容生成部１１３が、予め第２の記憶部２４に記憶された複数の背景画像６０の中から選択してもよい。予め記憶された背景画像６０は、例えば、リアルタイムに図示しない外部の端末で作成されて、無線通信を介して、第２の記憶部２４に記憶されてもよい。
ユーザは、バックライトを複数の背景画像６０のいずれかに、都度変更可能である。このため、表示装置１は、バリエーションに富んだバックライトを用いた表示を提供することが出来る。
【００８２】
＜変形例２＞
上述の実施形態では、背景内容生成部１１３がメインマイコン１０に設けられており、メインマイコン１０において背景画像６０を生成する画像生成処理が実行されるが、これに限られない。
他の変形例として、例えば、背景内容生成部１１３はサブマイコン２０に設けられ、サブマイコン２０において画像生成処理が実行されてもよい。この構成により、メインマイコン１０を作動させずに、サブマイコン２０のみが、背景画像６０を生成し、又、生成した背景画像６０をバックライトに設定することが可能となる。メインマイコン１０が作動しないことにより、消費電力が低減される利点がある。
【００８３】
＜変形例３＞
上述の実施形態では、図６を用いて背景画像６０の各要素を編集するためのメニューを例示したが、メニューはこれだけに限られない。
他の変形例として、メニューの数や種類は図６に示されるものだけではなく、その他の操作を受け付けるメニューが他に用意されていてもよい。例えば、撮像部（図示せず）が表示装置１に設けられる場合に、撮像部からの画像を用いて背景画像６０を編集可能なメニューが設けられてもよい。又、メニューの表示位置は図６に示されるものに限られない。
【００８４】
＜変形例４＞
上述の実施形態では、時刻情報を表示する領域において、第２の表示部２７の液晶ディスプレイは透過状態であって、７セグメントのデジタル時計表示の時刻情報が黒色で表示されるが、時刻情報の表示色は黒色に限られない。
例えば、他の変形例として、時刻情報は、背景画像６０の表示色であってもよい。背景画像６０に対応する時刻情報表示領域の色が緑色である場合、時刻情報は緑色で表示される。この場合、ユーザは、時刻情報の表示領域が、他の乳白色の領域と比較してはっきりと見えるため、時刻情報を認識することが出来る。
或いは、背景画像６０の時刻表示領域において、７セグメントのデジタル時計表記の全てをくり抜いた基本となる画像が、予め背景画像記憶部２４１に記憶されていてもよい。この場合、背景内容生成部１１３は、時刻表示領域の画像を変更しない。これにより、第１のプログラム処理部１１１によって、第１のＲＴＣ部１５において取得された現在時刻に応じた時刻が、時刻表示領域において黒色で表示される。
【００８５】
＜変形例５＞
上述の実施形態における電力制御処理では、背景画像６０の表示色を変更するが、省電力モードにおける電力制御はこれに限られない。
例えば、第２の表示制御部２１２は、絵柄の表示色を変更する代わりに背景画像６０の全体又は一部の輝度を落としてもよい。或いは、第２の表示制御部２１２は、絵柄の表示色を変更するとともに背景画像６０の全体の輝度を落としてもよい。又、第２の表示制御部２１２は、背景画像６０の全面の表示色を、ユーザが時刻情報をぎりぎり視認可能な程度の単色に変更するか、時刻情報のみを色味にして他の領域を黒色にしてもよい。
【００８６】
＜変形例６＞
上述の実施形態では、第１の表示部１８を第２の表示部２７のバックライトとして機能させる態様において、第２の表示制御部２１２が第１の表示部１８及び第２の表示部２７を制御するが、これに限られない。
例えば、第１の表示制御部１１２が第２の表示部２７及び第１の表示部１８の双方又は何れか一方を制御する場合があってもよい。
このように、第１の表示制御部１１２が第２の表示部２７及び第１の表示部１８を制御する場合、上述のステップＳ２３において、第１の表示制御部１１２が、ユーザが指定した画像に基づく色の有機ＥＬ素子を発光させることによって、背景画像６０を表示する通常モードから、背景画像６０の一部を、ユーザが指定した画像に基づく色とは異なる相対的に低い消費電力の色で表示させる省電力モードに移行させる。
このように、第１の表示制御部１１２は、表示装置の電池残量が閾値以下の場合、自発光表示装置の背景画像６０の表示色を変更する。有機ＥＬ素子の発光色の変更は、例えば、ＲＧＢの各色に対応する有機ＥＬ素子の一部を発光させないことによって実現される。これにより、表示装置１の消費電力を低減することができる。
【００８７】
＜変形例７＞
上述の実施形態では、上述のメニュー６４によって、ユーザが、予め用意された画像、例えば、野球ボールの画像７０を選択した上で、背景画像６０を生成したが、背景画像６０の生成方法はこれに限られない。
背景画像６０は、外部装置にて生成されて、表示装置１がそのデータを有線通信又は無線通信を利用して外部から取得するような構成であっても良いことは勿論である。なお、メニュー６１を選択して、上記の予め用意された画像に代わる画像を手書きで自由に作成してもよい。この場合、タッチパネルを利用して手書き入力する方法が採用されてもよい。
【００８８】
＜変形例８＞
上述の実施形態では、ユーザの入力に応じて、第１の表示部１８を第２の表示部２７のバックライトとして機能する態様と第１の表示部１８を情報端末として機能する態様とが変更されるが、これに限られない。例えば、ユーザの動きに応じてモードが変更されてもよい。
【００８９】
また、上述の実施形態では、本発明が適用される表示装置１は、デジタルカメラを例として説明したが、特にこれに限定されない。
例えば、本発明は、画像処理機能を有する電子機器一般に適用することができる。具体的には、例えば、本発明は、ノート型のパーソナルコンピュータ、テレビジョン受像機、ビデオカメラ、携帯型ナビゲーション装置、携帯電話機、スマートフォン、ポータブルゲーム機等に適用可能である。
【００９０】
＜変形例９＞
上述の実施形態では、第１の表示部１８が情報端末として機能する態様であるか、第１の表示部１８がバックライトとして機能する態様であるかにかかわらず、第１のモードと第２のモードとの切り替えを行っていたが、これに限られない。
例えば、第１の表示部１８が情報端末として機能する態様であるか、第１の表示部１８がバックライトとして機能する態様であるかに応じて、第１のモードと第２のモードとが切り替えられるようにしてもよい。例えば、第１の表示部１８が情報端末として機能する態様である場合に第１のモードに切り替え、第１の表示部１８がバックライトとして機能する態様である場合に第２のモードに切り替えるようにしてもよい。
【００９１】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が表示装置１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００９２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９３】
このようなプログラムを含む記録媒体は、ユーザにプログラムを提供するために装置本体とは別に配布される図４のリムーバブルメディア５１により構成されるだけでなく、装置本体に予め組み込まれた状態でユーザに提供される記録媒体等で構成される。リムーバブルメディア５１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２の第１のＲＯＭ１２や、第２のＲＯＭ２２等で構成される。
【００９４】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００９５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００９６】
以下に、本願の出願当初の特許請求の範囲に記載された発明を付記する。
［付記１］
液晶表示装置と、当該液晶表示装置の観察側とは反対側に配置された自発光表示装置と、を備える表示装置であって、
前記自発光表示装置において少なくとも第１の絵柄を表示する第１のモードと、前記自発光表示装置において少なくとも前記第１の絵柄を表示しないように発光する第２のモードと、を切り替える切替手段と、
前記切替手段により切替えられたモードに基づいて、前記自発光表示装置の表示を制御する制御部と、
を有することを特徴とする表示装置。
［付記２］
前記自発光表示装置は、前記第２のモードにおいて単色発光を行なうことを特徴とする付記１に記載の表示装置。
［付記３］
前記自発光表示装置は、前記第２のモードにおいて前記第１の絵柄とは異なる第２の絵柄を表示することを特徴とする付記１に記載の表示装置。
［付記４］
前記自発光表示装置は、前記第１の絵柄から前記第２の絵柄へ変更させることで、所定の情報をユーザに提供する情報表示装置として機能する
ことを特徴とする付記３に記載の表示装置。
［付記５］
前記第１の絵柄を生成する生成手段を更に有することを特徴とする付記１乃至４の何れか一に記載の表示装置。
［付記６］
前記液晶表示装置の表示する内容を制御する液晶制御部を更に有し、
前記液晶制御部は、前記液晶表示装置に所定の内容を表示させ、
前記自発光表示装置は、前記液晶表示装置のバックライトとして機能する
ことを特徴とする付記１乃至５の何れかに記載の表示装置。
［付記７］
前記第１の内容又は前記第２の内容の表示の輝度を、バックライトとして機能させない場合の表示の輝度よりも低くすることを特徴とする付記６に記載の表示装置。
［付記８］
表示装置の電池残量が閾値以下の場合、自発光表示装置の輝度を低下させることを特徴とする付記６又は７に記載の表示装置。
［付記９］
表示装置の電池残量が閾値以下の場合、前記内容変更手段は、前記第２の内容を変更する付記６乃至８の何れか一に記載の表示装置。
［付記１０］
液晶表示装置と、当該液晶表示装置の観察側とは反対側に配置された自発光表示装置と、を備える表示装置が行う表示方法であって、
前記自発光表示装置において少なくとも第１の絵柄を表示する第１のモードと、前記自発光表示装置において少なくとも前記第１の絵柄を表示しないように発光する第２のモードと、を切り替える切替ステップと、
前記切替ステップにおいて切替えられたモードに基づいて、前記自発光表示装置の表示を制御する制御ステップと、
を有することを特徴とする表示方法。
［付記１１］
液晶表示装置と、当該液晶表示装置の観察側とは反対側に配置された自発光表示装置と、を備えるコンピュータに、
前記自発光表示装置において少なくとも第１の絵柄を表示する第１のモードと、前記自発光表示装置において少なくとも前記第１の絵柄を表示しないように発光する第２のモードと、を切り替える切替機能と、
前記切替機能により切替えられたモードに基づいて、前記自発光表示装置の表示を制御する制御機能と、
を実現することを特徴とする表示プログラム。
【符号の説明】
【００９７】
１・・・表示装置，１０・・・メインマイコン，１１・・・第１のＣＰＵ，１２・・・第１のＲＯＭ，１３・・・第１のＲＡＭ，１４・・・第１の記憶部，１５・・・ＲＴＣ部，１６・・・ドライブ，１７・・・第１の入力部，１８・・・第１の表示部，２０・・・サブマイコン，２１・・・第２のＣＰＵ，２２・・・第２のＲＯＭ，２３・・・第２のＲＡＭ，２４・・・第２の記憶部，２５・・・センサ部，２６・・・第２の入力部，２７・・・第２の表示部，２９・・・電池残量計測ＩＣ，３１・・・ブルートゥースアンテナ，３２・・・ブルートゥースモジュール，３３・・・無線ＬＡＮアンテナ，３４・・・無線ＬＡＮモジュール，５１・・・リムーバブルメディア，６０・・・背景画像，６１〜６４、７１、７３、８１、８２・・・メニュー，７０、７０´・・・野球ボールの画像，７４・・・文字，ＢＳ・・・黒色シート，ＭＢ・・・メイン基板，８３、８４・・・選択肢，１１１・・・第１のプログラム処理部，１１２・・・第１の表示制御部，１１３・・・背景絵柄変更部，２１１・・・第２のプログラム処理部，２１２・・・第２の表示制御部，２１３・・・モード切替部，２１４・・・電力制御部，２４１・・・背景画像記憶部
【図１】
2019219628.tif 000003
【図２】
2019219628.tif 000004
【図３Ａ】
2019219628.tif 000005
【図３Ｂ】
2019219628.tif 000006
【図４】
2019219628.tif 000007
【図５】
2019219628.tif 000008
【図６】
2019219628.tif 000009
【図７Ａ】
2019219628.tif 000010
【図７Ｂ】
2019219628.tif 000011
【図８Ａ】
2019219628.tif 000012
【図８Ｂ】
2019219628.tif 000013
【図９】
2019219628.tif 000014
【図１０】
2019219628.tif 000015